(57)【要約】【課題】　電池交換時に電池収納部から電池の落下を防止して確実な交換作業を実現する。【解決手段】　電池３４を装脱するための開口部３３を有する電池収納部３２を有する電池収納装置を備えた電子機器であり、開口部３３の開口端側には、開口部３３側に突出する方向に付勢された電池係止片３６が設けられ、電池収納部３２内の底面側には、電池収納部３２に収納された電池３４を付勢するバネ部材が設けられている。電池収納装置には、開口部３３と電池係止片３６とを覆う電池蓋３０が第１がヒンジ機構を介して開閉自在に取り付けられている。電池蓋３０は、ロックレバー７３によりロックされて閉蓋状態に維持され、ロックレバー７３によるロックを解除し、開口部を開放する方向にスライドすることにより開蓋される。電池蓋３０を開蓋下状態で、電池係止片３６をスライドさせ電池の係止状態を解除させると、電池３４がバネ部材により電池収納部から押し出される。【選択図】　図１１
2004079543.tif 000002
【特許請求の範囲】
【請求項１】
　全体として直方体形をなすように形成された電池を装脱するための開口部を有する電池収納部を有する電池収納装置を備えた電子機器において、
　上記開口部の開口端側には、上記開口部の中心方向に向かって突出するように付勢され、上記電池を上記電池収納部に収納する際には上記開口部から退出するようにスライド可能に取り付けられた電池係止片が設けられ、
　上記電池収納部内の底面側には、上記電池収納部に収納された電池を上記開口部から突出する方向に付勢するバネ部材が設けられ、
　上記電池収納装置には、上記開口部と上記電池係止片とを覆う電池蓋が上記電子機器の筐体の一部に開蓋される方向に付勢する第１の弾性体を有するヒンジ機構により回転するように開閉自在に取り付けられ、
　上記電池蓋は、上記ヒンジ機構に対しスライドするとともに上記開口部を閉蓋した状態において開蓋方向にスライドさせたときに回転方向のロック状態を解除するようにした係合部を有し、
　上記電池蓋が、上記ヒンジ機構に対しスライドされ上記係合部の係合が解除されて回転方向のロック状態が解除され上記ヒンジ機構により回転自在な状態となり上記開蓋される方向に付勢する第１の弾性体により開蓋方向に回転動作されて上記開口部が開放された状態において、上記電池係止片をスライドさせ電池の係止状態を解除させることによりと上記電池を上記バネ部材により上記電池収納部から押し出されるように構成された
　ことを特徴とする電池収納装置を有する電子機器。
【請求項２】
　上記電池蓋には上記ヒンジ機構に対しスライドする方向と直交する方向にスライドし第２の弾性体により一方に付勢された操作部を有し、上記操作部は閉蓋状態で上記電池蓋の上記ヒンジ機構に対するスライドがされないよう上記電池蓋を係止するロックレバーに取り付けられ、上記操作部を上記第２の弾性体の付勢力に抗してスライド操作して上記ロックレバーを移動して上記電池蓋の係止を解除することにより、上記電池蓋の上記ヒンジ機構に対するスライドを可能とするよう構成された
　ことを特徴とする請求項１記載の電池収納装置を有する電子機器。
【発明の詳細な説明】
【技術分野】
【０００１】
　本発明は、全体として直方体形をなすように形成された電池を装脱するための開口部が設けられた電池収納部を有する電池収納装置を備えた電子機器に関する。
【背景技術】
【０００２】
　近年、例えば携帯型のテーププレーヤ、携帯型のディスクプレーヤ又は携帯型のビデオカメラ装置等の電子機器においては、機器の筐体内にポケット状の電池収納部を構成し、この電池収納部に装填される電池を電源としている。この電池収納部は、通常、電池を電池収納部へ装填する際の開口部である電池収納開口部が電池蓋によって閉蓋された状態にある。この電池蓋は、電池の交換等に際して回転操作されて、電池収納開口部を開放するように構成されている。
【０００３】
　この点、電池蓋の開閉装置は、一般に、電池蓋が電池収納開口部を開放した際に、筐体から取り外される構造が採用されており、電池交換時に電池蓋を落として、破損したり、紛失するといった問題点が生じていた。そこで、電池蓋の開閉装置は、このような問題点を解決するため、開放時においても、筐体から蓋体が離脱しないように構成したものが提案されている。
【０００４】
　すなわち、上記電池蓋の開閉装置は、電池蓋が電池収納開口部の開口寸法と略等しい形状を有しており、電池蓋の一側部に支点軸が一体に形成されている。そして、電池蓋は、この支点軸が筐体側に形成された凹部に嵌合されることにより、回転自在に支持され、開閉自在とされる。
【０００５】
　また、電池蓋には、弾性変位する係止片が形成されており、この係止片は、筐体側の凹部と係止するように構成されている。この係止片は、電池蓋が閉蓋された状態においては、上記凹部と係合された状態にある。そして、係止片は、電池蓋が開蓋される際には、押圧されることにより弾性変位し、係止状態が解除され、電池蓋の回転動作を可能とする。
【０００６】
　このように構成された電池蓋の開閉装置は、電池が挿入される際には、電池蓋が支点軸を支点として開蓋され、所定の大きさをした電池が電池収納開口部より電池収納部内に装填される。そして、電池蓋は、電池収納開口部を閉蓋する。一方、電池蓋は、電池が取り出される際には、支点軸を支点として開蓋されて、電池が電池収納部内から電池収納開口部を経て取り出される。
【０００７】
　このように構成される電池蓋の開閉装置は、筐体の外部に電池蓋を回転自在に支持する支点軸等のヒンジ機構が外部に露出しており、筐体全体の外観を損なってしまう。
【０００８】
　また、電池蓋の開閉装置は、電池蓋の支点軸を筐体側の凹部に取り付ける際には、電池蓋の回転動作の際に、筐体に接触して電池蓋の回転動作の障害とならないようにする必要がある。そのため、筐体には、電池蓋の支点軸が取り付けられる部位に切り欠き部を設ける必要がある。そのため、電池蓋の開閉装置全体の小型化を図ることができなかった。
【０００９】
　さらには、電池蓋の開閉装置は、電池蓋が閉蓋状態において、上述の通り弾性変位する係止片のみによって筐体にロックされていることから、操作時等に誤って係止片に接触してしまった場合等には、係止片の係止状態が解除され、開蓋してしまい電池収納部に装填されている電池が飛び出してしまう等の問題点が生じていた。また、このような場合には、開蓋した電池蓋が手等に接触して、電池蓋を破損させるといった問題点が生じていた。
【発明の開示】
【発明が解決しようとする課題】
【００１０】
　本発明は、上述したような従来の技術が有する問題点を解消し、電池の交換時に誤って電池収納部から電池が飛び出してしまうような問題点を解消できる電子機器をを提供することを目的に提案されたものである。
【課題を解決するための手段】
【００１１】
　上述ような技術課題を解決するため、本発明は、全体として直方体形をなすように形成された電池を装脱するための開口部を有する電池収納部を有する電池収納装置を備えた電子機器において、開口部の開口端側には、開口部の中心方向に向かって突出するように付勢され、電池を電池収納部に収納する際には開口部から退出するようにスライド可能に取り付けられた電池係止片が設けられ、電池収納部内の底面側には、電池収納部に収納された電池を開口部から突出する方向に付勢するバネ部材が設けられ、電池収納装置には、開口部と電池係止片とを覆う電池蓋が電子機器の筐体の一部に開蓋される方向に付勢する第１の弾性体を有するヒンジ機構により回転するように開閉自在に取り付けられ、電池蓋は、ヒンジ機構に対しスライドするとともに開口部を閉蓋した状態において開蓋方向にスライドさせたときに回転方向のロック状態を解除するようにした係合部を有し、電池蓋が、ヒンジ機構に対しスライドされ係合部の係合が解除されて回転方向のロック状態が解除されヒンジ機構により回転自在な状態となり開蓋される方向に付勢する第１の弾性体により開蓋方向に回転動作されて開口部が開放された状態において、電池係止片をスライドさせ電池の係止状態を解除させることによりと電池をバネ部材により電池収納部から押し出されるように構成されていることを特徴とする。
【００１２】
　本発明において、電池蓋にはヒンジ機構に対しスライドする方向と直交する方向にスライドし第２の弾性体により一方に付勢された操作部を有し、操作部は閉蓋状態で電池蓋のヒンジ機構に対するスライドがされないよう電池蓋を係止するロックレバーに取り付けられ、操作部を第２の弾性体の付勢力に抗してスライド操作してロックレバーを移動して電池蓋の係止を解除することにより、電池蓋のヒンジ機構に対するスライドを可能とするよう構成されている。
【発明の効果】
【００１３】
　本発明に係る電子機器は、電池蓋が、ヒンジ機構に対しスライドされ係合部の係合が解除されて回転方向のロック状態が解除されヒンジ機構により回転自在な状態となり開蓋される方向に第１の弾性体によ付勢されて開蓋方向に回転動作されて開口部が開放された状態となったとき、電池係止片をスライドさせ電池の係止状態を解除させない限り、電池収納部に収納された電池の電池収納部から突出が防止でき、電池交換時に不用意に電池を落下させてしまうような事故を確実に防止できる。
【発明を実施するための最良の形態】
【００１４】
　いか、本発明に係る電子機器を図面を参照して説明する。本発明に係る電子機器は、全体として直方体形をなすように形成された電池を装脱するための開口部が設けられた電池収納部を有する電池収納装置を備えたものであって、例えば、電池で駆動される携帯型のテーププレーヤ、携帯型のディスクプレーヤ又は携帯型のビデオカメラ装置等である。
【００１５】
　以下においては、本発明を携帯型のビデオカメラ装置に適用した例を挙げて説明する。本発明が適用されたビデオカメラ装置１は、例えば図１乃至図３に示すように、主に撮影レンズを有する撮像部２と、内部に８ミリ幅の磁気テープが収納されたテープカセットを収納するカセットホルダと、記録及び／又は再生された映像を表示する表示装置１３とを有する。このビデオカメラ装置１は、上記撮像部２により撮像されている映像を記録し、又は磁気テープに記録された映像を再生する。
【００１６】
　表示装置１３は、撮像部２より撮像されている映像を表示し、又は再生された映像を表示するものである。したがって、表示装置１３は、ビデオカメラ装置１による撮影を行う場合のファインダとして使用されると共に、再生される映像の観賞用のモニタとして使用される。
【００１７】
　具体的には、ビデオカメラ装置１は、例えば図１に示すように、筐体３と、筐体３の内部に磁気テープ等が収納されるカセットホルダを有する記録及び／又は再生装置と、被写体を撮像する撮像部２と、記録及び／又は再生された映像を表示する表示装置１３とを有して構成されている。
【００１８】
　筐体３には、前面の上側コーナ部の一方に撮像レンズ及び撮像手段となる撮像素子を有して構成された撮像部２が配設されている。具体的には、この撮像部２は、ＣＣＤを用いて撮像する。
【００１９】
　また、筐体３には、前面の上側の略中央領域にマイク部４が配設されている。このマイク部４は、音声の集音を行う。
【００２０】
　筐体３には、マイク部４と撮像部２の近傍に識別標識部５が配設されている。この識別標識部５は、撮像部２で撮像されている映像を録画する場合に点灯する。したがって、この識別標識部５は、ビデオカメラ装置１が録画しているか否かの識別を容易とさせる。
【００２１】
　筐体３には、その前面側であると共に、上記撮像部２と反対の方向に、すなわち図１で示す左方向に、半円弧状に膨らみを呈したグリップ部６が形成されている。また、筐体３には、グリップ部６の近傍の側面にグリップ部ベルト７が配設されている。このグリップ部ベルト７は、筐体３の側面の上側と下側に掛け止められている。したがって、ビデオカメラ装置１は、筐体３の背面側から掌を筐体３のグリップ部６の形成された側面とグリップ部ベルト７との間に形成された空間部８に通し、ユーザに支持される。したがって、ビデオカメラ装置１は、グリップ部６が膨らみを呈して形成されていることから、掌で握り易くなり、また、筐体３の側面部とグリップ部ベルト７により構成される空間部８に掌を通すだけで支持されることから持ち運びが容易とされる。
【００２２】
　また、グリップ部６には、その上側にズーム操作部９が配設されている。このズーム操作部９は、グリップ部６の円弧面に沿って移動されることにより、撮像部２をズーム制御する。このように、ズーム操作部９は、グリップ部６の上側に配設されていることから、ビデオカメラ装置１を掌で支持している際に、人差し指等で容易に操作することができる。
【００２３】
　筐体３には、その上面であってグリップ部６の上方に、全体として円形に形成されたダイヤル操作部１０が回転自在に取り付けられている。このダイヤル操作部１０は、上記グリップ部６の上方の近傍に取り付けられていることから、ビデオカメラ装置１を使用している際に、容易に操作することができる。
【００２４】
　筐体３には、その上面の略中央領域に表示部１１が形成されている。この表示部１１の近傍には、第１の操作ボタン１２が複数配設されている。この第１の操作ボタン１２は、例えば筐体３内に収納されている記録及び／又は再生装置を起動するための再生、録画等ボタン等の役割を有する。したがって、例えば第１の操作ボタン１２の一つである録画ボタンを押圧して操作した場合には、上記筐体３内の記録及び／又は再生装置が起動して、上記撮像部２により被写体が撮像され、上記表示装置１３に撮像されている映像が映し出される。
【００２５】
　表示部１１には、それぞれの第１の操作ボタン１２の機能が、第１の操作ボタン１２に対応して表示されている。したがって、ビデオカメラ装置１は、いかなる機能を用いて操作されているか否かの識別が容易とされる。
【００２６】
　また、筐体３には、その背面に、例えば図２に示すように、表示装置１３が配設されている。この表示装置１３は、例えばＬＣＤ（液晶表示板）或いはＣＲＴ（陰極線管）等を用いて、映像を映し出す。すなわち、この表示装置１３には、上記撮像部２で撮像されている映像が映し出され、また再生された映像が映し出される。また、表示装置１３には、その近傍に上記表示装置１３を操作する表示装置操作ボタン１４が複数配設されている。この表示装置操作ボタン１４は、上述した第１の操作ボタン１２とは異なる部位であって表示装置１３の近傍に配設されていることから、表示装置１３の操作の際には、誤って上記第１の操作ボタン１２を操作してしまうこともない。
【００２７】
　このように構成される表示装置１３は、ヒンジ部１５により筐体３に取り付けられている。表示装置１３は、ヒンジ部１５を介して、筐体３の上下方向に回転自在に移動される。したがって、ビデオカメラ装置１は、例えばローアングルで撮影する場合には、表示装置１３を上方向に約４５度程度回転させることにより、容易に撮影を行わせる。
【００２８】
　筐体３には、表示装置１３の上方であって、筐体３の一方のコーナ部に切換ダイヤル１６が配設されている。この切換ダイヤル１６は、ビデオカメラ装置１を用いて録画を行う場合と、再生を行う場合との切り換えを行う。
【００２９】
　筐体３には、その背面の下側の一方のコーナ部に第２の操作ボタン１７が複数配設されている。第２の操作ボタン１７は、例えば上記表示装置１３に日付或いは月日を表示するための操作を行う。この第２の操作ボタン１７は、グリップ部６が設けられた方向とは反対の方向に配設されていることから、ビデオカメラ装置１の使用時に、このビデオカメラ装置１を支持している掌とは反対の掌で操作することができ、ビデオカメラ装置１の操作を容易とする。
【００３０】
　また、筐体３には、第２の操作ボタン１７の近傍であって、隣り合う側面に外部端子１８が設けられている。
【００３１】
　また、外部端子１８が設けられた同一の筐体３の側面には、スピーカ１９が配設されている。
【００３２】
　また、筐体３には、図３に示すように、その底面部の略中央部にカセットホルダ開放操作部２０が配設されている。このカセットホルダ開放操作部２０は、スライド動作するように設けられている。そして、カセットホルダ開放操作部２０は、スライド動作されると、内部のロック手段が解除され、底面部の略中央が開放され、筐体３の内部に配設されているカセットホルダが露出する。そして、カセットホルダが露呈した状態において、８ミリ幅を有する磁気テープが巻回されたテープカセットがカセットホルダ内に装填される。
【００３３】
　筐体３には、底面の外周部に取付部２１が形成されている。すなわち、この取付部２１は、ねじ穴２２と、このねじ穴２２の近傍に設けられた凹部２３とにより構成されている。この取付部２１には、例えば三脚等が取り付けられる。
【００３４】
　筐体３には、その底面部にグリップ部６の内部に形成された電池収納部３２に設けられた電池を装脱するための開口部３３を開閉する蓋体である電池蓋３０の開閉装置３１が取り付けられている。
【００３５】
　この電池蓋３０の開閉装置３１は、図４乃至図１２に示すように、電池３４を装脱するための開口部である電池収納開口部３３を有する電池収納部３２が設けられた筐体３を備える。この電池収納部３２の電池収納開口部３３の開口端側には相対向して一対の係合凸部３８が設けられている。また、電池収納開口部３３を開閉する電池蓋３０は、内側に相対向して一対の位置決め壁４７が立設され、外側の相対向する側面に係合凸部３８と係合する案内溝４２が設けられることにより、電池収納開口部３３の開口面と平行な第１の方向にスライド可能とされる外蓋４１と、外蓋４１と一体となって固定される内蓋５０と、位置決め壁４７に嵌合された状態で外蓋４１と内蓋５０とにより狭持され、筐体３の一部にヒンジ機構により電池収納開口部３３を開閉する方向に回転するように支持される基板５５と、一方の端部が電池収納開口部３３近傍の筐体３の掛止部に掛け止められ、他方の端部が基板５５の掛止部に掛け止められる基板５５を開蓋される方向に付勢する第１の弾性体５６とを有して構成されている。
【００３６】
　また、外蓋４１の内方には、図４に示すように、筐体３側に設けられた凸部に係止される一方の端部に係止部７４が設けられるとともに、外蓋４１に開口された操作開口部７７Ｂに臨まされる操作部７７Ａが設けられたロックレバー７３と、このロックレバー７３を上記凸部方向に付勢する第２の弾性体８１とが配設されている。
【００３７】
　さらには、ロックレバー７３には、係止部７４が形成されない他方の端部に位置決めをする位置決め凸部７５が設けられ、基板５５には、位置決め凸部７５が係止された状態で、外蓋４１及び内蓋５０のスライド動作と連動してロックレバー７３がスライド動作する相互に連接して深さ寸法が異なる凹凸が形成された窓部５９が開口されている。
【００３８】
　電池収納部３２は、図１１及び図１２に示すように、上述の通り筐体３のグリップ部６に対応する部位の内部に形成されている。この電池収納部３２は、収納される電池３４とほぼ同じくする寸法を有している。ここに収納される電池３４は、全体として直方体形を呈して形成されており、長手方向の一方の側面に電極が形成されている。したがって、電池収納部３２の底面には、電池３４の電極と接する導電性を有する金属材料により形成される拡張バネが取り付けられている。この拡張バネは、電池３４がこの電池収納部３２に収納されると、電池３４の接点と拡張バネとが接触し導通する。
【００３９】
　そのため、電池収納開口部３３の開口端側の側壁には、電池係止片３６が取り付けられている。この電池係止片３６は、筐体３側に配設されている付勢機構により電池収納開口部３３の中心方向に付勢され、電池収納開口部３３に突出した状態で、スライド自在に取り付けられている。したがって、電池３４は、電池収納部３２に収納される際には、電池係止片３６を筐体３方向に弾性力に抗してスライドさせることにより、電池収納開口部３３内への突出が無くなり、挿入が可能な状態とされる。そして、電池３４は、電池収納部３２内に収納されると、拡張バネに上方向に付勢された状態であって、電池係止片３６に係止された状態となる。この際、電池３４は、拡張バネに付勢されていることから確実に導通される。
【００４０】
　電池収納部３２内の相対向する側壁には、図１１に示すように、電池収納開口部３３の開口端側に位置して一対の係合凸部３８が形成されている。これら係合凸部３８は、筐体３の底面に平行に立設されている。この係合凸部３８は、外蓋４１側に設けられた案内溝４２と係合される。そして、一方の側壁には、係合凸部３８に直交するように立設された係止突起部３９が設けられている。
【００４１】
　また、筐体３には、電池収納開口部３３の側縁に沿って、図４に示すように、回転軸４０が図示しない支持部材によって取り付けられている。回転軸４０には、後述する基板５５が回転自在に取り付けられている。
【００４２】
　また、外蓋４１の外側は、全体として筐体３の外部形状の一部として形成されている。したがって、外蓋４１が閉蓋された状態においては、筐体３の外観を損なうことがなにように形成されている。この外蓋４１には、図７に示すように、ロックレバー７３をスライド操作するための操作部７７Ａを外方に臨まさせるための操作開口部７７Ｂが開設されている。一方、外蓋４１の外側の両側面には、案内溝４２が形成されている。この案内溝４２は、上述した係合凸部３８と係合される。そして、外蓋４１は、案内溝４２に係合凸部３８が係合されることにより、第１の動作であるスライド動作がされる。
【００４３】
　外蓋４１の内側は、図４に示すように、ロックレバー７３を支持し、移動方向を規制するための一対のロックレバー規制壁４４が互いに平行に立設され、外蓋４１の外周を形成する立上がり壁である外周壁４３に連接されている。この外周壁４３には、ロックレバー規制壁４４と連接する部位に切欠き部４５が切り欠き形成されている。また、外蓋４１の内側には、中央領域に外蓋４１と内蓋５０を固定するためのねじ穴４６が形成されている。そして、このねじ穴４６には、後述する係止部材６７が配設される。また、外蓋４１の内側には、上記ロックレバー規制壁４４と直交して、筐体３に回転自在に支持する基板５５が配置される位置決め壁４７が立設されている。
【００４４】
　内蓋５０は、図４に示すように、上記外蓋４１の内側に配置固定される。したがって、内蓋５０には、外蓋４１のねじ穴４６と対応する部位にねじ止め穴５１が穿設されている。この内蓋５０は、基板５５を上記位置決め壁４７に配置し、狭持した状態で外蓋４１の内側を閉蓋し、止めねじ５２で固定される。
【００４５】
　基板５５は、全体として矩形形状を呈して形成され、第１の弾性体５６が配置される凹部５７と、ロックレバー７３が係止されるとともに、止めねじ５２が挿通される窓部５９と、止めねじ５２が挿通される長穴６６とが形成されている。
【００４６】
　凹部５７には、連続して両端に凸部５８が形成されている。この凸部５８は、回転軸４０に沿って巻き付けられ、基板５５を回転自在に筐体３に取り付ける。この凹部５７には、第１の弾性体５６が配設される。
【００４７】
　第１の弾性体５６は、コイルスプリングによって構成されており、一方の端部が筐体３側に掛け止められ、他方の端部が基板５５の窓部５９に掛け止められる。したがって、コイルスプリングは、基板５５を開蓋方向に付勢する。
【００４８】
　窓部５９には、第１の係合凹部６０と、この第１の係合凹部６０と連続して係合凸部６１と、この係合凸部６１と連続して第２の係合凹部６３とが切り欠き形成されている。第１の係合凹部６０及び第２の係合凹部６３は、第１の係合凹部６０の方が第２の係合凹部６３より深く切り欠かれている。また、係合凸部６１は、第１の係合凹部６０の側から第２の係合凹部６３へと下るように切り欠き形成されている。これら第１の係合凹部６０、第２の係合凹部６３及び係合凸部６１は、後述するロックレバー７３が係止される。
【００４９】
　また、窓部５９には、第１の係合凹部６０、第２の係合凹部６３及び係合凸部６２が形成された切り欠き面と相対向する面に凹部６４が形成される。この凹部６４には、後述する係止部材６７の突部７０が係止される。
【００５０】
　さらに、基板５５には、丸穴６５が穿設されている。この丸穴６５は、係止部材６７の突部７０とほぼ同じ大きさの穴径を有している。
【００５１】
　係止部材６７は、例えば図５に示すように、全体としてＬ字状を呈して弾性変位する金属材料で形成され、主面６８の一方の端部にねじ止め穴６９が穿設されて、他方の端部に突部７０が突出して形成されている。この係止部材６７は、ねじ止め穴６９が外蓋４１の内側に形成されたねじ穴５１の上に配置される。また、主面６８は、外蓋４１の内側に形成された基板５５の位置決めを行う位置決め壁４７に沿って配置される。このように構成された係止部材６７は、図４に示すように、突部７０が基板５５の凹部６４に係合された状態で、止めねじ５２が内蓋５０のねじ止め穴５１及び係止部材６７のねじ止め穴６９を挿通して、外蓋４１のねじ穴４６に螺合され固定される。この係止部材６７の主面６８は、段部を形成している。
【００５２】
　また、ロックレバー７３は、例えば図６に示すように、一方の端部に電池収納開口部３３の開口端側に設けられた係止突起部３９が係止される係止部７４と、他方の端部に基板５５の窓部５９に形成された第１の係合凹部６０に係合される位置決め凸部７５とを有する主部７６と、この主部７６に取り付けられる操作部７７Ａとを有して構成されている。そして、操作部７７Ａには、その表面にロックレバー７３をスライド操作する際に操作を容易とするために滑り止めとして凹凸７８が複数形成されている。
【００５３】
　このように構成されるロックレバー７３は、図４に示すように、外蓋４１の内側に形成されたロックレバー規制壁４４にスライド自在に嵌合される。この際、ロックレバー７３の係止部７４は、外蓋４１に切り欠き形成された切欠き部４５に嵌合される。したがって、外蓋４１の外周壁４３とこの係止部７４は同一の平面上に配置される。一方、位置決め凸部７５は、基板５５に形成された第１の係合凹部６０に嵌合される。
【００５４】
　さらには、ロックレバー７３には、位置決め凸部７５の近傍に掛止部７７Ａが形成されている。この掛止部７７Ａには、他方が外蓋４１側の掛止部８０に掛け止められる第２の弾性体８１が掛け止められる。この第２の弾性体８１は、コイルスプリングによって構成されており、収縮方向に付勢されている。一方で、このロックレバー７３は、ロックレバー規制壁４４によって規制されており、丁度、ロックレバー７３の係止部７４が外蓋４１の外周壁４３と同一の平面上になるように配設されている。
【００５５】
　このように構成される電池蓋３０の開閉装置３１は、図４に示すように、外蓋４１の内側にロックレバー規制壁４４にロックレバー７３を嵌入し、第２の弾性体８１を掛止部７９及び掛止部８０に掛け止め、係止部材６７を外蓋４１のねじ穴上に配置した後、基板５５を位置決め壁４７に嵌入し、その後、基板５５上に内蓋５０により外蓋４１の内側を閉蓋し、内蓋５０に穿設されたねじ止め穴５１に止めねじ５２により螺合され組み付けられる。
【００５６】
　このように構成される電池蓋３０の開閉装置３１は、電池蓋３０が閉蓋された状態においては、例えば図７及び図８に示すように、電池収納開口部３３が電池蓋３０により閉蓋された状態にある。この際、電池蓋３０は、外蓋４１が筐体３の外形形状と一体となった状態となっている。したがって、ビデオカメラ装置１は、電池蓋３０の開閉装置３１の近傍において、第１の弾性体５６が外方から臨まされることもなく、外観を損なうこともない。
【００５７】
　この際、ロックレバー７３は、係止部７４が外蓋４１の外周壁４３と同一の平面上になるように配設されており、ロックレバー７３の操作部７７Ａは、図７で示す操作開口部７７Ｂの右方向に位置している。また、ロックレバー７３の他方の端部である位置決め凸部７５は、基板５５に窓部５９における第１の係合凹部６０に係止されている。すなわち、電池蓋３０が電池収納開口部３３を閉蓋した状態においては、ロックレバー７３は、全体として図４で示す左方向及び図７で示す右方向に位置している。そして、係止部７４は、図１１に示す係止突起部３９のヒンジ機構側に係止されている。したがって、電池蓋３０は、閉蓋時においては、図９に示すＢ方向にスライド動作することは無い。
【００５８】
　また、係止部材６７の突部７０は、基板５５の窓部５９に切り欠き形成された凹部６４に係止された状態にある。
【００５９】
　電池蓋３０の開閉装置３１は、例えば電池３４を電池収納部３２に収納するため、電池蓋３０を開蓋する場合においては、図９に示すように、操作部７７Ａを第２の弾性体８１の弾性力に抗して図７に示す矢印Ａ方向にスライドする。すると、ロックレバー７３は、ロックレバー規制壁４４に沿って、全体としても矢印Ａ方向にスライド動作される。したがって、ロックレバー７３の係止部７４は、上述した係止突起部３９との係合した状態が解除され、外蓋４１の図８及び図１１中矢印Ｂ方向へのスライド動作が可能な状態なる。
【００６０】
　そして、外蓋４１は、図８及び図１１中矢印Ｂ方向へのスライド操作がされると、図８に示すＣ寸法だけ外蓋４１が案内溝４２に沿ってスライド動作する。この際、ロックレバー７３の他方の端部である位置決め凸部７５は、第２の係合凹部６３に移動される。そして、位置決め凸部７５は、図７中矢印Ａ方向へのスライド操作を完了した後、係合凸部６１を通り、第２の係合凹部６３に係合される。また、係止部材６７の突部７０は、図９中矢印Ｂ方向へのスライド動作により基板５５の窓部５９に形成された凹部６４から凹部６４の近傍の丸穴６５に移動される。この際、係止部材６７の主面６８は、弾性変位されることにより移動される。したがって、突部７０が、凹部６４から丸穴６５に移動され、係合した際には、ユーザの手に係合される際の振動が伝わり、外蓋４１のスライド動作が完了したこと知らせられる。
【００６１】
　このように案内溝４２に沿ってスライド動作された外蓋４１は、案内溝４２が終了し、係合凸部３８の案内溝４２への係合状態が解除される。すると、第１の弾性体５６により開蓋方向、すなわち図１０及び図１１に示す矢印Ｄ方向に付勢された基板５５は、この基板５５に固定された外蓋４１及び内蓋５０と共に、電池蓋３０全体を開蓋する。
【００６２】
　そして、電池収納開口部３３が開口された状態において、電池３４は、電池収納部３２内に収納される。この際、電池３４は、例えば図１２に示すように、電池係止片３６を矢印Ｆ方向に移動させた後、電池収納部３２に収納される。また、収納された電池３４を電池収納部３２より取り出す場合には、電池係止片３６を同じく図１２中矢印Ｆ方向に移動されて係止状態を解除させる。この際、電池３４は、電池収納部３２の底面に配設されている拡張バネに押し出されて図１２のような状態とされる。
【００６３】
　一方、電池蓋３０を閉蓋する場合には、具体的には、上述した電池蓋３０の開蓋操作とは反対の操作が行われる。
【００６４】
　すなわち、電池蓋３の開閉装置３１は、押圧されて開蓋された電池蓋３０を上記第１の弾性体５６の弾性力に抗じて図１０及び図１１に示す矢印Ｅ方向に回転動作されて電池収納開口部３３を閉蓋した状態とされる。そして、電池蓋３０は、上述した図９の状態とされる。
【００６５】
　この際、ロックレバー７３は、一方の端部である位置決め凸部７５が基板５５の第２の係合凹部６３に係合された状態にあり、他方の端部は、外蓋４１の外周壁４３より内方に位置されている状態にある。また、係止部材６７の突部７０は、基板５５の丸穴６５に係合された状態にある。
【００６６】
　そして、このような状態から外蓋４１が図８及び図９に示す矢印Ｇ方向に移動される。外蓋４１は、Ｇ方向にスライド動作されると、ロックレバー７３の係止部７４が筐体３側の係止突起部３９に衝突し、同じく矢印Ｇ方向に押圧される。この際、ロックレバー７３の位置を規制する位置決め凸部７５は基板５５の第２の係合凹部６３に係合された状態にある。この第２の係合凹部６３と連続する係合凸部６１は、上述の通り第１の係合凹部６０の側から第２の係合凹部６３へと下るように形成されている。したがって、ロックレバー７３の位置決め凸部７５は、この係合凸部６１の凸面に沿って移動される。したがって、外蓋４１は、更に矢印Ｇ方向にスライド動作される。
【００６７】
　ロックレバー７３の位置決め凸部７５は、外蓋４１のスライド動作と共に、係合凸部６１の凸面上を移動して、基板５５の第１の係合凹部６０に係合される。すると、ロックレバー７３の係止部７４は、第２の弾性体８１が収縮方向に付勢されていることから外蓋４１の外周壁４３の方向に移動され、丁度、外蓋４１の外周壁４３と同一の平面上に配置される。
【００６８】
　これと同時に、係止部材６７の突部７０は、図９中矢印Ｇ方向へのスライド動作により基板５５の窓部５９に形成された丸穴６５から凹部６４に移動される。この際、係止部材６７の主面６８は、弾性変位されることにより移動される。したがって、突部７０が、凹部６４から丸穴６５に移動され、係合した際には、ユーザの手に係合される際の振動が伝わり、外蓋４１のスライド動作が完了したこと知らせられる。
【００６９】
　このように構成された電池蓋３０の開閉装置３１は、電池収納開口部３３を閉蓋した状態において、回転軸４０が外蓋４１内に設けられることから、外蓋４１が筐体３の外形形状の一部として形成されていることから筐体３の外観を損なうことはない。また、電池蓋３０の開閉装置３１は、電池収納開口部３３の閉蓋された状態において、回転軸４０が外蓋４１内に設けられることから、全体の小型化を図ることができる。さらに、電池蓋３０の開閉装置３１は、上述の通り電池蓋３０内にロックレバー７３が配設されている。したがって、電池蓋３０の開閉装置３１によれば、ビデオカメラ装置１の使用中に、誤って電池蓋３０が開蓋してしまい電池３４が電池収納部３２から飛び出すことも無いため、確実に記録及び／又は再生を行うことができる。
【図面の簡単な説明】
【００７０】
【図１】本発明に係る電池蓋の開閉装置が適用されたビデオカメラ装置の正面から見た外観斜視図である。
【図２】電池蓋の開閉装置が適用されたビデオカメラ装置の背面から見た外観斜視図である。
【図３】電池蓋の開閉装置が適用されたビデオカメラ装置の底面から見た外観斜視図である。
【図４】電池蓋の開閉装置の分解斜視図である。
【図５】電池蓋の開閉装置の係止部材の斜視図である。
【図６】電池蓋の開閉装置のロックレバーの斜視図である。
【図７】ビデオカメラ装置の電池蓋の開閉装置において、電池蓋が閉蓋された状態を示す要部斜視図である。
【図８】ビデオカメラ装置の電池蓋の開閉装置において、電池蓋が閉蓋された状態を示す要部断面図である。
【図９】ビデオカメラ装置の電池蓋の開閉装置において、電池蓋がスライドされた状態を示す要部斜視図である。
【図１０】ビデオカメラ装置の電池蓋の開閉装置において、電池蓋が開蓋された状態を示す要部断面図である。
【図１１】ビデオカメラ装置の電池蓋の開閉装置において、電池蓋が開蓋された状態を示す要部斜視図である。
【図１２】ビデオカメラ装置の電池蓋の開閉装置において、電池蓋が開蓋された状態において、電池を挿入する状態を示す要部斜視図である。
【符号の説明】
【００７１】
　１　ビデオカメラ装置、　３０　電池蓋、　３１　開閉装置、　３２　電池収納部、　３３　電池収納開口部、　３６　電池係止片、　３８　係合凸部、　３９　係止突起部、　４１　外蓋、　４２　案内溝、　５０　内蓋、　５５　基板、　５６　第１の弾性体、　７３　ロックレバー、　７４　係止部、　８１　第２の弾性体
【図１】
2004079543.tif 000003
【図２】
2004079543.tif 000004
【図３】
2004079543.tif 000005
【図４】
2004079543.tif 000006
【図５】
2004079543.tif 000007
【図６】
2004079543.tif 000008
【図７】
2004079543.tif 000009
【図８】
2004079543.tif 000010
【図９】
2004079543.tif 000011
【図１０】
2004079543.tif 000012
【図１１】
2004079543.tif 000013
【図１２】
2004079543.tif 000014